(57)【要約】【課題】音楽による脳の音感領域への快い刺激を利用し、正確で、容易かつ簡便な認知症・物忘れ検査装置を提供する。【解決手段】音楽と音楽に関連する検査質問が保存された記憶部１０ａと、音楽を出力する音声出力手段５と、検査質問を表示する表示手段２と、検査質問に対して被験者が回答を入力する入力手段３と、入力された回答から被験者の認知症又は物忘れの症状レベルを判定する検査処理手段１と、を備えている。【選択図】図１
2010178920.tif 000002
【特許請求の範囲】
【請求項１】
音楽と該音楽に関連する検査質問が保存された記憶部（１０ａ）と、上記音楽を出力する音声出力手段（５）と、上記検査質問を表示する表示手段（２）と、上記検査質問に対して被験者が回答を入力する入力手段（３）と、入力された上記回答から上記被験者の認知症又は物忘れの症状レベルを判定する検査処理手段（１）と、を備えたことを特徴とする認知症・物忘れ検査装置。
【請求項２】
音楽と該音楽に関連する検査質問が保存された記憶部（１０ａ）と、上記音楽を出力する音声出力手段（５）と、上記検査質問を表示する表示手段（２）と、上記検査質問に対して被験者が回答を入力する入力手段（３）と、入力された上記回答から上記被験者の認知症又は物忘れの症状レベルを判定する検査処理手段（１）と、上記被験者の過去の判定結果を記録した記録部（１０ｂ）と、を備え、
検査処理手段（１）は、上記記録部（１０ｂ）からの過去の判定結果と現在の判定結果とを比較し認知症又は物忘れの症状レベルの改善具合を評価して、上記表示手段（３）に評価結果を表示させることを特徴とする認知症・物忘れ検査装置。
【発明の詳細な説明】
【技術分野】
【０００１】
本発明は、音楽を利用して、認知症・物忘れの検査とそのレベルを判断する検査装置に関わる。
【背景技術】
【０００２】
従来、認知症の簡易診断方法として広く一般に行なわれているのは「長谷川式簡易知能評価スケール」で評価方法と点数で構成されている。例えば、「今日は何年何月何日、何曜日ですか」と言う質問は、１つの正解を１点とし合計４点とされる質問である。
そして、上述のような質問の正誤の判定を支援するために、特許文献１記載のような認知症診断支援システムがあった。
【先行技術文献】
【特許文献】
【０００３】
【特許文献１】特開２００７−２８２９９２号公報
【発明の概要】
【発明が解決しようとする課題】
【０００４】
しかし、これらの方法は専門家による判断が必要な診断であり、容易に物忘れや認知症を検査することができないという問題があった。
また、これ等の質問項目は、主として左脳（論理、理論、計算、言語、判断力等）の領域の現状を調査しているに過ぎず、右脳（直感、感性、音楽、芸術、閃き、イメージを捉えての創造等）の領域の現状については欠落しているという問題があった。
【０００５】
その理由として音楽や絵画などの芸術や感性はどちらかと言えばその方面の才気あふれる特殊な分野で芸術的才能と論理的思考とは別個のものであるという固定観念が大勢を占めていたからに他ならない。
最近の脳科学によれば、脳は普通の人で全体の僅か３％しか使用していないとの報告もあり、人間の脳にはまだまだ未知の分野が多いのが実情である。確かな事実は人以外の動物は殆ど感性のまま生きているといっても過言でなく、人類の遠い祖先も動物と同じく感性のおもむくまま生活していたものと思われる。それが頭脳すなわち知恵の発達に伴い感性が次第に論理下に追いやられ、知識編重主義が次第に幅を効かせてきた。これが認知症や物忘れが生まれる原因の一つになったものと推測される。
【０００６】
本発明者は、人間は右脳と左脳のバランスの上に立って物事を深く捉えることで、人格が形成され人間らしさがはぐくまれるという点、また、多くのノーベル賞受賞者がそうであるように感性（右脳）を磨けば優れた理論が構築されるという点、また、音楽はリラクゼーションだけでなく療法としても殊に精神科領域の疾患には有効とされて徐々に広まって来ていながらも、音楽を認知症や物忘れの検査に積極的に利用されてはいなかった点に着目した。
【０００７】
本発明は、音楽による脳の音感領域への快い刺激を利用して、正確で、容易かつ簡便な認知症・物忘れの判定とその進行程度を判断する検査装置の提供を目的とする。
【課題を解決するための手段】
【０００８】
そこで、上記課題を解決するために本発明は、音楽と該音楽に関連する検査質問が保存された記憶部と、上記音楽を出力する音声出力手段と、上記検査質問を表示する表示手段と、上記検査質問に対して被験者が回答を入力する入力手段と、入力された上記回答から上記被験者の認知症又は物忘れの症状レベルを判定する検査処理手段と、を備えたものである。
【０００９】
また、音楽と該音楽に関連する検査質問が保存された記憶部と、上記音楽を出力する音声出力手段と、上記検査質問を表示する表示手段と、上記検査質問に対して被験者が回答を入力する入力手段と、入力された上記回答から上記被験者の認知症又は物忘れの症状レベルを判定する検査処理手段と、上記被験者の過去の判定結果を記録した記録部と、を備え、検査処理手段は、上記記録部からの過去の判定結果と現在の判定結果とを比較し認知症又は物忘れの症状レベルの改善具合を評価して、上記表示手段に評価結果を表示させるものである。
【発明の効果】
【００１０】
本発明の認知症・物忘れ検査装置によれば、音楽を利用して右脳に働きかけ脳全体を正確に把握して容易かつ迅速に検査を行なうことができる。音楽を利用することで被験者に検査への興味を向上させると共に、検査に対する嫌悪感を軽減させて、スムーズに検査を行なうことができる。
【図面の簡単な説明】
【００１１】
【図１】本発明の全体斜視図である。
【図２】本発明を説明するブロック図である。
【図３】第１の実施の形態を説明するフローチャート図である。
【図４】フローチャート図である。
【図５】表示手段の表示画面の一例を示す図である。
【図６】表示手段の表示画面の一例を示す図である。
【図７】表示手段の表示画面の一例を示す図である。
【図８】表示手段の表示画面の一例を示す図である。
【図９】表示手段の表示画面の一例を示す図である。
【図１０】表示手段の表示画面の一例を示す図である。
【図１１】表示手段の表示画面の一例を示す図である。
【図１２】表示手段の表示画面の一例を示す図である。
【図１３】表示手段の表示画面の一例を示す図である。
【図１４】表示手段の表示画面の一例を示す図である。
【図１５】表示手段の表示画面の一例を示す図である。
【図１６】第２の実施の形態を説明するフローチャート図である。
【図１７】表示手段の表示画面の一例を示す図である。
【図１８】表示手段の表示画面の一例を示す図である。
【発明を実施するための形態】
【００１２】
本発明の認知症・物忘れ検査装置は、音楽を用いて認知症・物忘れを判定・評価等の検査をする装置であって、図１及び図２に示すように、データやプログラムが記憶可能なハードディスク等の記憶保持部１０と、記憶保持部１０へのデータの読み書きや演算が可能なＣＰＵ（中央処理装置）等の演算処理部１３と、演算結果やプログラム等のデータを一時的に記憶するＲＡＭ（ランダムアクセスメモリ）やＲＯＭ（リードオンリーメモリ）等の一時記憶部１４と、を有するコンピュータ等の検査処理手段１を備えている。
【００１３】
記憶保持部１０は、検査用の音楽と検査用の音楽に関連する検査質問を保持した記憶部１０ａを有している。
また、音楽を出力するスピーカ等の音声出力手段５と、検査質問を表示する液晶モニタ又はブラウン管モニタ等の表示手段２と、検査質問に対して被験者が回答を入力するためのタッチパネル等の入力手段３と、を備えている。
検査処理手段１は、入力された回答をもとに演算処理部１３にて演算処理して、被験者の認知症又は物忘れの症状レベルを判定するものである。
【００１４】
本発明の第１の実施の形態は、記憶部１０ａに、認知症又は物忘れを判定するための第１検査用の音楽及び第１検査用の音楽に関連する検査質問と、認知症又は物忘れの症状レベルを判定するための第２検査用の音楽及び第２検査用の音楽に関連する検査質問と、を保持している。また、検査質問の回答用選択肢、検査質問の正解も保存されている。
【００１５】
記憶部１０ａは、第１検査用の多数の音楽（歌）が種類（ジャンル）に関連付けされて保持している。第１検査用の音楽は誰もが慣れ親しんだ童謡や小学唱歌等である。
第１検査用の音楽の種類とは、季節の歌、動物の歌、自然の歌、遊びの歌、である。また、５曲を１組として各種類に２組保存されている。つまり各種類は合計１０曲ずつ分類され保存されている。
【００１６】
例えば、季節の歌とは、「お正月」「うれしいひなまつり」「春の小川」「チューリップ」「さくらさくら」「鯉のぼり」「たなばたさま」「里の秋」「ジングルベル」「雪」等である。動物の歌とは、「池の鯉」「うさぎのダンス」「かたつむり」「おうまの親子」「かもめの水兵さん」「おさるのカゴ屋」「ぞうさん」「七つの子」「からすの赤ちゃん」「歌をわすれたカナリヤ」「虫の声」等である。
自然の歌とは、「花」「赤とんぼ」「雨降りお月さん」「海」「浜辺の歌」「ヤシの実」「我は海の子」「夕焼け小焼け」「荒城の月」「箱根八里」等である。
遊びの歌とは、「あんたがたどこさ」「かわいい魚屋さん」「おもちゃのチャチャチャ」「かごめかごめ」「肩たたき」「シャボン玉」「通りゃんせ」「むすんでひらいて」「背くらべ」「ないしょ話」等である。
【００１７】
第１検査用の検査質問は、２〜４の選択問題（質問）であって、「この歌の題名は何でしょうか」「この歌の季節（時間）はいつ頃でしょうか」「この歌に出てこなかった言葉を選んでください」「この歌から何を感じますか」等である。なお、「この歌から何を感じますか」は参考質問であって、正解・不正解はなく回答は正解個数に含まれない。
【００１８】
第２検査用の音楽は、多数の音楽が種類に関連付けされて（分類されて）保持されている。第２検査用の音楽は、被験者が青春時代に家庭内や街角等でよく流れていたいわゆる流行歌である。第２検査用の音楽の種類とは、戦前の（流行）歌、昭和２０年代の（流行）歌、昭和３０年代の（流行）歌、である。５曲を１組として各種類に２組保存されている。つまり各種類は合計１０曲ずつ保存されている。
なお、これ等の歌は何れも歌の主人公（人や動物）が明らかで老若男女の区別、季節感、昼夜（時間帯）の区別、何をしようとしているのか等の情景が明瞭で情緒のあるものを選択している。
【００１９】
例えば、戦前の歌とは、「湖畔の宿」「赤い灯青い灯」「君恋し」「異国の丘」「別れのブルース」「丘を越えて」「旅の夜風」「国境の町」「支那の夜」「蘇州夜曲」「名月赤城山」等である。
昭和２０年代の歌とは、「憧れのハワイ航路」「上海帰りのリル」「お富さん」「東京の花売娘」「青い山脈」「悲しき口笛」「りんごの歌」「長崎の鐘」「湯の町エレジー」「星の流れに」「高原列車は行く」等である。
昭和３０年代の歌とは、「ここに幸あり」「別れの一本杉」「王将」「北帰行」「高校三年生」「人生劇場」「いつでも夢を」「アカシアの雨が止むとき」「上を向いて歩こう」「古城」等である。
【００２０】
第２検査用の検査質問は、２〜４択の選択問題であって、「題名」「主人公の老若男女」「主人公の状況」「季節」「時間帯」等の歌詞の内容や、「歌を聞いて被験者がどう感じたか」等である。
具体的には、「この歌の題名は何でしょうか」「この歌の主人公は男性ですか女性ですか」「この歌の季節はいつ頃でしょうか」「この歌の時間はいつ頃でしょうか」「主人公は今何をしていますか（何をしようとしていますか又は何処にいますか）」「この歌に出てこなかった言葉を選んでください」「この歌から何を感じますか」等ある。つまり、第２検査用の検査質問は、第１用の検査質問に比較すれば少々難易度の高いものである。
【００２１】
これらの第２の検査用の検査質問は正解に点数を関連付けている。
例えば、「この歌の題名は何でしょうか」及び「この歌の主人公は男性ですか女性ですか」は各１点。「この歌の季節はいつ頃でしょうか」及び「この歌の時間はいつ頃でしょうか」は各２点。「主人公は今何をしていますか（何をしようとしていますか又は何処にいますか）」及び「この歌に出てこなかった言葉を選んでください」は各３点。「この歌から何を感じますか」は参考質問であり０点。１曲（歌）の検査質問につき１２点の点数を付与している。
【００２２】
さらに、記憶部１０ａは、第１・２検査用の音楽の歌詞と、第１・２検査用の音楽に関連付けられた静止画や動画等の背景画を保持している。背景画は、音楽の内容と関連の深い風景や人物の様子である。例えば、「お正月」の場合は凧揚げをする子供の絵や、猫とコタツの絵等である。１曲に複数の背景画を関連付けて保存している。
【００２３】
検査処理手段１は、入力手段３を介して入力された第１検査の回答から、第１検査の合計正解個数を演算して、認知症又は物忘れを判定する。
例えば、第１検査に於て、５曲で検査した場合（正解・不正解のある質問が計１５質問）は、正解個数が１個未満（０個）の場合は認知症（又はその恐れが高い）と診断する。２個以上の場合は、物忘れの可能性が高く第２検査を受けるべきと判定する。なお、１個の場合は、第１検査をもう一度受けるべき（再検査）又は専門家の判断を仰ぐべきと判定する。
【００２４】
さらに、検査処理手段１は、第２検査に於て、各曲の正解点数の演算と第２検査の合計正解点数の演算とを行なう。合計正解点数から、認知症又は物忘れの症状レベル（正常、軽度、中程度、重度）を判定する。
例えば、第２検査に於て、５曲で検査した場合は、６０点で満点であり、２４点以上で正常、１２〜２４点未満で軽度の物忘れ、６〜１２点未満で中程度の物忘れ、１点〜６点未満で重度の物忘れ、１点未満（０点）で認知症（の恐れが高い）、と診断する。
【００２５】
上述した本発明の第１の実施の形態は、被験者の認識番号の入力等の所定操作が行なわれたあと、図３のステップＳ１に於て、第１検査用の音楽を用いて検査を行なう。次にステップＳ２に於て、第１検査質問の正解個数を演算する。正解個数が所定数以上であれば、ステップＳ３に進む。所定数未満であればステップＳ６に進む。また、正解個数が所定個数未満の場合は、第１検査を再び受けるようにステップＳ１に戻るようにしても良い。
具体的には、第１検査は５曲で行なう。５曲で検査した合計の正解個数が２個以上あれば、ステップＳ３に進む。１個の場合は、第１検査を再検査としステップＳ１に戻る。１個未満（０個）の場合は、ステップＳ６に進む。また、第１検査を再検査させる場合、表示手段２が、再検査となった音楽と異なる種類の音楽を選択させるように表示させる。
【００２６】
そして、ステップＳ３に於て、第２検査用の音楽を用いて検査を行なう。次のステップＳ４に於て、第２検査質問の正解点数を演算する。正解点数が所定点数以上であれば、ステップＳ５に進む。所定数未満であればステップＳ６に進む。
具体的には、第２検査は５曲で６０点を満点として行なう。１点以上でステップＳ５に進む。１点未満（０点）でステップＳ６に進む。
【００２７】
ステップＳ５に進んだ場合は、物忘れ（記憶障害）の症状レベルの判定を決定する。また、ステップＳ６に進んだ場合は、認知症（の恐れが高い）と診断する。
具体的には、ステップＳ５では、２４点以上で正常、１２〜２４点未満で軽度の物忘れ、６〜１２点未満で中程度の物忘れ、１点〜６点未満で重度の物忘れ、という判定を決定する。
判定決定後、ステップＳ７に進み、表示手段２に判定結果（検査結果）を表示して、検査を終了する。
【００２８】
ここで、第１検査についてさらに説明する。検査が開始されると、図４のステップＳ１０に於て、表示手段２は検査に使用する歌の種類を被験者に選択させる画面を表示する。
具体的には図５に示すような第１検査に使用する音楽（童謡）の種類を被験者に問う質問と、音楽の種類と、音楽の種類に対応する選択用のボタン５０を表示する。また、音声出力手段５から質問を音声にて出力する。なお、図５に於て、「何でもよい」とは、第１検査用の音楽の４種類を混合して５曲１組としたものである。つまり、第１検査は５種類の選択肢が表示される。各種類の「その１」と「その２」の２組の内どちらか一方を選択するように表示する。
なお、タッチパネルから成る入力手段３は、表示された内容に対応するように、表示手段２の表示画面の近傍に設けられており、被験者が表示された表示画面の操作ボタン５０に指やタッチペン等を接近させることで入力手段３に接触し質問に対する応答が入力される。
【００２９】
検査処理手段１は、被験者が選択した種類に対応する音楽及び題名を記憶部１０ａから読み出す。表示手段２は、図６に示すように、音楽（歌）の題名、スタート用のボタン５０、を表示する。音声出力手段５は、題名を音声出力する。
「スタート」が入力されると、題名が表示されたまま、音声出力手段５から歌の前奏が出力される。
【００３０】
前奏が終了すると図４のステップＳ１１に進む。音声出力手段５から歌が出力される。また、図７に示すように、表示手段２は、歌の歌詞と、歌に関連する背景画を表示する。背景画を歌（歌詞）に合わせて切り替える。例えば、「夕焼け小焼け」の場合は、夕焼けの空、山のお寺、手をつないだ子供と空を飛ぶカラス、等の絵に順次切り替える。
【００３１】
歌の１番が終了すると、図４のステップＳ１２に進み、表示手段２は、図８に示すように検査質問及び回答の選択肢を分割画面にして表示する。また、「文字拡大」に対応するボタン５０の入力が確認されると、その検査質問画面のみが１面全体に表示する。回答が入力されれば、再び分割画面となる。検査質問表示中に、音声出力手段５は、検査質問に対応する歌のメロディ（伴奏）を繰り返し出力する。また、検査質問を音声出力する。
【００３２】
１曲目の検査質問の回答入力が全てされると、図４に示すステップＳ１３に進む。検査処理手段１によって、正解個数が演算される。表示手段２は、図９に示すように、１曲の正解個数を表示する。
【００３３】
図４のステップＳ１４に於て、第１検査は５曲で検査を行なう。検査処理手段１は５曲検査したか確認し、残りがあれば、「次へ」に対応するボタン５０の入力に伴って、図１０に示すように表示手段２に次の音楽の題名を表示させる。５曲の検査が終わるまで、ステップＳ１１からステップＳ１３を繰り返す。
【００３４】
５曲の検査が終了すると、ステップＳ１５に進む。検査処理手段は、合計正解個数を演算する。表示手段２は合計正解個数を表示する。第１検査は終了する。
【００３５】
次に、第２検査は、第１検査と同様に５曲を用いて、図４のフローチャート図のように進めるが、音楽は第２検査用のもの（流行歌）である。
【００３６】
図１１に示すように、表示手段２に第２検査に使用する歌の種類（ジャンル）を被験者に選択させる画面を表示する。なお、「何でもよい」とは、第２検査用の音楽の３種類を混合して５曲１組としたものである。つまり、第２検査は４種類の選択肢が表示される。
【００３７】
そして、図１２に示すように、音楽（歌）の題名、スタート用のボタン５０、を表示する。音声出力手段５は、題名を音声出力する。スタートが入力されると、題名が表示されたまま、音声出力手段５から歌の前奏が出力される。
【００３８】
前奏が終了すると、図１３に示すように、表示手段は、歌の歌詞と、歌に関連する背景画を表示する。背景画を、歌（歌詞）に合わせて切り替える。音声出力手段５から歌が出力される。
【００３９】
歌が終了すると、図１４に示すように検査質問及び回答の選択肢を分割画面にして表示する。音声出力手段５は、検査質問表示中に、検査質問に対応する歌の曲（メロディ、伴奏）を出力する。また、検査質問を音声出力する。
回答が入力された後、検査処理手段１は検査の点数を演算する。図１５に示すように表示手段２は、正解点数を表示する。その後、第２検査を終了する。
【００４０】
次に、本発明の第２の実施の形態（すなわち、認知症や物忘れの改善に有効な検査装置ともいえる形態）について説明する。
第１の実施の形態と同様に、回答を演算処理して被験者の認知症又は物忘れの症状レベルを判定する検査処理手段１と、記憶部１０ａを有する記憶保持部１０と、表示手段２と、入力手段３と、音声出力手段５と、を備えている。
【００４１】
そして、記憶保持部１０は、被験者の過去の判定結果を保存した記録部１０ｂを有している。過去の判定結果は、検査前に入力されている被験者の識別記号や電子カルテ等に関連付けて保存されている。
【００４２】
検査処理手段１は、記録部１０ｂからの過去の判定結果と現在の判定結果と比較して認知症又は物忘れの症状レベルの改善具合を評価するものである。表示手段２は、評価結果を表示する。
【００４３】
また、記憶部１０ａには、検査に使用する音楽として、懐メロ（昔の流行歌）や演歌、ムード歌謡、民謡、映画音楽、軍歌、ジャズ、コマーシャルソング、等の音楽が２５曲ずつ保存されている。
【００４４】
また、各曲の題名、歌詞、背景画、さらに、各音楽の前奏曲のみ、歌詞が差し替えられた替え歌、リズムや速度をジャズ風やラテン風等に変化させ編曲（アレンジ）したもの、が保存されている。
【００４５】
第２の実施の形態は、被験者の識別記号等の入力等の所定操作が行なわれ検査がスタートすると、図１６のステップＳ５１に於て、歌の種類を選択する画面が、図１７に示すように表示される。そして、種類の選択入力が行なわれると、ステップＳ５２に進んで、図１８に示すように、表示手段２は、検査する内容のコースの選択を問う画面を表示する。
コースは、標準コース、背景画コース、前奏曲コース、替歌コース、編曲コース、の５コースである。記憶部１０ａにはコース毎に異なる検査質問が保存されている。
【００４６】
標準コースとは、上述の第２検査のように、音声出手段５から前奏にはじまり歌声が出力されると共に表示手段２に歌詞や背景が表示されるものである。１曲ごとの正解点数が演算され、その後、合計（５曲）の正解点数が表示されるコースである。
【００４７】
背景画コースとは、上述の第２検査に用いられた背景画のみが、１０枚５秒間隔で表示手段２に表示され、その背景画に関連する歌の題名や歌手名、映画のタイトルや俳優名等を質問するコースである。この検査質問のうち何れか又は所定数の正解で正解の歌が出力される。回答はタッチペンによる記入式とするのが望ましい。
【００４８】
前奏曲コースとは、前奏曲のみが出力されている間に歌の題名を質問するコースである。正解した場合は、回答に費やした秒数に応じて歌の１番〜３番が流れる。不正解の場合は、正解が表示手段２に表示される。回答はタッチペンによる記入式とするのが望ましい。
【００４９】
替歌コースとは、前奏曲がながれた後、本来の歌詞にない言葉（歌声）を出力し、１番が終わると伴奏曲のみが出力して、本来の歌の題名を質問するコースである。正解の場合は、上述の第２検査のような検査質問が表示される。回答が入力された後、演算によって求められた正解点数が表示される。
【００５０】
編曲コースとは、歌の伴奏曲（メロディ）がジャズ風やラテン風等に編曲された歌を出力して、本来の歌の題名を質問するコースである。
【００５１】
図１６のステップＳ５６に於て、選択されたコースの検査質問を行なう。回答が入力されると、ステップＳ５７に於て、検査処理手段１によって検査質問の難易度や正解個数又は正解点数から、認知症又は物忘れの症状レベルを判定する。そして、ステップＳ５８に於て、表示手段２に判定結果を表示する。また、記録部１０ｂに被験者の識別記号や日付、電子カルテ等と関連付けて判定結果を保存する。
【００５２】
次のステップＳ５６に於て、検査処理手段１は、記録部１０ｂに今、判定された被験者の過去の判定結果があるか検索する。過去（前回）の判定結果がなければ、現在の判定結果を表示した後、検査を終了する。過去の判定結果があれば、ステップＳ５７に進んで、過去の判定結果と現在の判定結果とを比較して認知症又は物忘れの症状レベルの改善具合を評価する。即ち、現在の症状が、回復傾向にあるか、悪化傾向にあるかの進行具合（傾向）を検査する。二重丸等の記号や数値で容易かつ簡潔に表示する。
【００５３】
その後、ステップＳ５８に進んで、過去の判定結果と現在の判定結果を比較した表、症状の改善具合をグラフにしたもの、数値化したもの、歌の種類毎やコース毎に評価したもの、を評価表として表示する。その後、検査を終了する。
【００５４】
なお、「長谷川式簡易知能評価スケール」及び「総合的診断」（問診、視診、心理・知能・機能テスト、画像検査、全身の健康診断）を行なった結果と、本発明の装置による判定結果とは、２０名中１９名が一致し、簡易かつ迅速ながらも本発明の装置が正確であることが実証された。
さらに、１年間かけて、１０名の被験者を何度も反復検査したところ、次第に頭脳が活性化し、認知症（痴呆）や物忘れの状態が除々に緩和・改善されることがわかった。
以前から「歌は世につれ、世は歌につれ」との言い慣らされた言葉があり、歌は世相を反映すると共に我々の人生には心の歌があり、歌と二人三脚で人生を歩んできたといっても過言ではない。即ち、感性を最も刺激するものは音楽（歌）であり、音楽より優るものは恐らくないであろう。感性はいつしか神経回路（脳梁）を伝わって記憶の扉をこじ開ける。そして、音楽（特に、懐メロやムード歌謡、コマーシャルソング）は、被験者の歩んできた人生と重なり合い当時の体験、風俗、食べ物、町の風景、携わって来た仕事、仲間、はてはその歌の歌手名や舞台衣装迄もが忘却の彼方から蘇らせ、脳が除々に活性化したためと考えられる。また、音楽は、楽しく愉快なものであるため、反復することが苦痛とはならず、右脳をリラックス状態にした音楽による感性の反復トレーニングとなり、かなり進んだ認知症や物忘れであっても、次第に左脳への回路が繋がり揺り動かし共鳴することによって脳梁が開きネットワークが形成して、歌と当時の感性や情景等が結び付き当時の記憶が走馬灯のように蘇り、人生への意欲を取り戻したからともいえる。
【００５５】
なお、本発明は、設計変更可能であって、例えば、背景画は写真や動画としても良い。第１の実施の形態に於て記憶部１０ａに記憶される音楽は１０曲以上でもよい。記憶保持部１０は、ＤＶＤ、ＣＤ、ＵＳＢメモリ等の外部記憶媒体を保持したドライブ（読み書き）装置であっても良い。また、入力手段３をマウスやキーボード、マイク等としても良い。また、検査用の音楽を、被験者の好みの種類（演歌、懐メロ、クラシック、ジャズ等）から実際に視聴して選択してもらった好きな歌を、複数集めて、オーダーメイド型の検査用の音楽（歌集）として記憶部１０ａに保存させても良い。また、流行歌を年代別に限らず、歌詞や歌手等で分類しても良い。
【００５６】
また、検査処理手段１をサーバーとし、インターネットやＬＡＮ（ローカルエリアネットワーク）等の情報通信網を介して、表示手段２、入力手段３、音声出力手段５等に有線又は無線接続して検査を行なうも自由である。なお、本発明に於て、被験者が操作入力等を行なうように説明したが、被験者が検査質問に対しての回答を口頭や筆記で行ない、身内や介護士等の医療従事者が代行して入力手段３に入力等を行なうも自由である。また、判定及び評価として表示された内容は、図示省略するが、プリンタ等の外部出力器によって正解個（点）数や評価（表）等を印刷可能に構成してもよい。
また、正解とは関係しない参考質問の回答内容を記録部１０ｂに記録し、医師等が判定結果と共に検査時の被験者の状態を知る資料として、診断や治療への参考にし得る。
【００５７】
以上のように、本発明は、音楽と音楽に関連する検査質問が保存された記憶部１０ａと、音楽を出力する音声出力手段５と、検査質問を表示する表示手段２と、検査質問に対して被験者が回答を入力する入力手段３と、入力された回答から被験者の認知症又は物忘れの症状レベルを判定する検査処理手段１と、を備えたので、音楽を利用して右脳に働きかけ脳全体を正確に把握して検査を行なうことができる。少ない医療従事者で多くの人を容易かつ迅速に認知症か否かを見極めることができる。音楽によって被験者の興味を向上させると共に、異常行動や異常言動を抑え、さらに、社会的不安を解消させつつ検査を被験者にスムーズに受けさせることができる。音楽を用いた楽しく愉快な検査となって、検査に対する嫌悪感を軽減させ、被験者に苦痛を与えず繰り返し検査を行なうことができる。検査の音楽により繰り返し刺激された感性はいつしか神経回路（脳梁）を伝わって記憶の扉をこじ開ける。そして、音楽と共に当時の体験、風俗、食べ物、町の風景、携わって来た仕事、仲間、はてはその歌の歌手名や舞台衣装迄もが忘却の彼方から蘇らせ、脳を除々に活性化させる。結果として感性が磨かれ、脳全体を蘇らせて認知症・物忘れを改善することができる。
【００５８】
また、音楽と音楽に関連する検査質問が保存された記憶部１０ａと、音楽を出力する音声出力手段５と、検査質問を表示する表示手段２と、検査質問に対して被験者が回答を入力する入力手段３と、入力された回答から被験者の認知症又は物忘れの症状レベルを判定する検査処理手段１と、被験者の過去の判定結果を記録した記録部１０ｂと、を備え、検査処理手段１は、記録部１０ｂからの過去の判定結果と現在の判定結果とを比較し認知症又は物忘れの症状レベルの改善具合を評価して、表示手段３に評価結果を表示させるので、音楽を利用して右脳に働きかけ脳全体を正確に把握して検査を行なうことができる。少ない医療従事者で多くの人を容易かつ迅速に認知症か否かを見極めることができる。音楽によって被験者の興味を向上させると共に、異常行動や異常言動を抑え、さらに、社会的不安を解消させつつ検査を被験者にスムーズに受けさせることができる。音楽を用いた楽しく愉快な検査となって、検査に対する嫌悪感を軽減させ、被験者に苦痛を与えず繰り返し検査を行なうことができる。また、評価結果の表示により自発的に検査を受けようとする向上心を被験者におこさせることができる。検査用の音楽により繰り返し刺激された感性はいつしか神経回路（脳梁）を伝わって記憶の扉をこじ開ける。そして、音楽と共に当時の体験、風俗、食べ物、町の風景、携わって来た仕事、仲間、はてはその歌の歌手名や舞台衣装迄もが忘却の彼方から蘇らせ、脳を除々に活性化させる。結果として感性が磨かれ、脳全体を蘇らせて認知症・物忘れを改善することができる。
【符号の説明】
【００５９】
１  検査処理手段
２  表示手段
３  入力手段
５  音声出力手段
10ａ  記憶部
10ｂ  記録部
【図１】
2010178920.tif 000003
【図２】
2010178920.tif 000004
【図３】
2010178920.tif 000005
【図４】
2010178920.tif 000006
【図５】
2010178920.tif 000007
【図６】
2010178920.tif 000008
【図７】
2010178920.tif 000009
【図８】
2010178920.tif 000010
【図９】
2010178920.tif 000011
【図１０】
2010178920.tif 000012
【図１１】
2010178920.tif 000013
【図１２】
2010178920.tif 000014
【図１３】
2010178920.tif 000015
【図１４】
2010178920.tif 000016
【図１５】
2010178920.tif 000017
【図１６】
2010178920.tif 000018
【図１７】
2010178920.tif 000019
【図１８】
2010178920.tif 000020